(57)【要約】【課題】香炉ないし線香立ての燃えカスを含んだ灰を、容易に効率よく清掃するとともに、周囲への灰の飛散を防止する。【解決手段】灰清掃具１０は、略Ｕ字状の板バネ体からなる柄１２とふるい本体１６により構成されている。前記ふるい本体１６は、２つの分割体１６Ａ及び１６Ｂが開閉具２２によって開閉可能となっており、主要な面に網目１８が設けられている。前記分割体１６Ａ及び１６Ｂには、それぞれ開閉具１４Ａ及び１４Ｂを介して、前記柄１２の両端が接続されている。灰３２の清掃を行うときは、ふるい本体１６を開いた状態のまま香炉３０の灰３２の中に入れ、板バネ状の柄１２を両端が閉じるように押えて、ふるい本体１６の内側に灰３２及び燃えカス３４を取り込む。そして、灰清掃具１０を、上下などの適宜方向に振ると、網目１８から灰３２のみが落ちて、燃えカス３４がふるい本体１６の中に残る。【選択図】図１
0003120114.tif 000002
【実用新案登録請求の範囲】
【請求項１】
香炉ないし線香立ての灰清掃具であって、
燃えカスを含んだ灰をふるう網目を備えるとともに、開閉具によって連結された２つの分割体により構成されるふるい本体，
該ふるい本体に他の開閉具を介して接続されており、前記２つの分割体を開閉する柄，
を備えたことを特徴とする灰清掃具。
【請求項２】
前記柄が、略Ｕ字状ないし略Ｖ字状の板バネ体であって、両端が前記他の開閉具を介して２つの分割体のそれぞれに接続されていることを特徴とする請求項１記載の灰清掃具。
【請求項３】
前記香炉ないし線香立ての上部を覆う略円筒状の蓋体，
該蓋体の側面に形成されており、請求項１又は２記載の灰清掃具の柄をスライドさせるためのスリット，
を備えたことを特徴とする灰清掃用蓋。
【請求項４】
前記蓋体が、透明ないし半透明であることを特徴とする請求項３記載の灰清掃用蓋。
【請求項５】
香炉ないし線香立ての灰清掃具セットであって、
燃えカスを含んだ灰をふるう網目を備えるとともに、開閉具によって連結された２つの分割体により構成されるふるい本体と、
略Ｕ字状ないし略Ｖ字状の板バネ体であって、両端が他の開閉具を介して前記２つの分割体のそれぞれに接続されており、該２つの分割体を開閉する柄と、
を備えた灰清掃具，
透明ないし半透明であって、前記香炉ないし線香立ての上部を覆う略円筒状の蓋体と、
該蓋体の側面に形成されており、前記灰清掃具の柄をスライドさせるためのスリットと、
を備えた灰清掃用蓋，
を含むことを特徴とする灰清掃具セット。
【考案の詳細な説明】
【技術分野】
【０００１】
本考案は、灰清掃具，灰清掃用蓋，灰清掃具セットに関し、更に具体的には、仏壇用香炉ないし線香立ての灰清掃具，灰清掃用蓋，灰清掃具セットに関するものである。
【背景技術】
【０００２】
仏壇用の香炉（ないし線香立て）は、頻繁に線香をあげていると、線香の燃えカス（燃え残り）がたまっていき、新たな線香を立てる場所がなくなったり、灰がかたくなったりするため、清掃を行う必要がある。通常、灰の清掃は、箸やピンセットなどを用いて、燃えカスなどを取り除くのが一般的である。
【考案の開示】
【考案が解決しようとする課題】
【０００３】
しかしながら、以上のような背景技術では、一つずつ燃えカスをつまむため非常に手間がかかる。また、一旦灰を香炉から新聞紙などの上に移して清掃する場合には、灰が周囲に飛散するという不都合があったり、新聞紙の上に広げた灰を再度香炉に入れたりするという手間がかかる。
【０００４】
本考案は、以上の点に着目したもので、その目的は、香炉ないし線香立ての燃えカスを含んだ灰を、容易に効率よく清掃するとともに、周囲への灰の飛散を防止することができる灰清掃具，灰清掃用蓋，灰清掃具セットを提供することである。
【課題を解決するための手段】
【０００５】
前記目的を達成するため、本考案の灰清掃具は、香炉ないし線香立ての灰清掃具であって、燃えカスを含んだ灰をふるう網目を備えるとともに、開閉具によって連結された２つの分割体により構成されるふるい本体，該ふるい本体に他の開閉具を介して接続されており、前記２つの分割体を開閉する柄，を備えたことを特徴とする。主要な形態の１つは、前記柄が、略Ｕ字状ないし略Ｖ字状の板バネ体であって、両端が前記他の開閉具を介して２つの分割体のそれぞれに接続されていることを特徴とする。
【０００６】
本考案の灰清掃用蓋は、前記香炉ないし線香立ての上部を覆う略円筒状の蓋体，該蓋体の側面に形成されており、請求項１又は２記載の灰清掃具の柄をスライドさせるためのスリット，を備えたことを特徴とする。主要な形態の１つは、前記蓋体が、透明ないし半透明であることを特徴とする。
【０００７】
本考案の灰清掃具セットは、香炉ないし線香立ての灰清掃具セットであって、燃えカスを含んだ灰をふるう網目を備えるとともに、開閉具によって連結された２つの分割体により構成されるふるい本体と、略Ｕ字状ないし略Ｖ字状の板バネ体であって、両端が他の開閉具を介して前記２つの分割体のそれぞれに接続されており、該２つの分割体を開閉する柄とを備えた灰清掃具，透明ないし半透明であって、前記香炉ないし線香立ての上部を覆う略円筒状の蓋体と、該蓋体の側面に形成されており、前記灰清掃具の柄をスライドさせるためのスリットとを備えた灰清掃用蓋，を含むことを特徴とする。本考案の前記及び他の目的，特徴，利点は、以下の詳細な説明及び添付図面から明瞭になろう。
【考案の効果】
【０００８】
本考案は、燃えカスを含んだ灰をふるう網目を備えたふるい本体を分割可能かつ開閉可能とし、ふるい本体に接続された柄によって開閉する灰清掃具を用いることで、容易に効率よく灰の清掃を行うことができる。また、必要に応じて、香炉や線香立ての上部を覆う蓋体の側面に前記柄をスライドさせるためのスリットが形成された灰清掃用蓋を、前記灰清掃具とともに使用することとしたので、周囲への灰の飛散を防止するという効果が得られる。
【考案を実施するための最良の形態】
【０００９】
以下、本考案を実施するための最良の形態を、実施例に基づいて詳細に説明する。
【実施例１】
【００１０】
最初に、図１を参照しながら、本考案の実施例１を説明する。図１(A)は、本実施例の外観を示す斜視図，図１(B)は本実施例の使用状態を示す図である。図１(A)に示すように、本実施例の灰清掃具１０は、略Ｕ字状の柄１２とふるい本体１６により構成されている。前記柄１２は、図示の例では、略Ｕ字状の板バネ体である。また、ふるい本体１６は、２つの分割体１６Ａ及び１６Ｂが、蝶番などの開閉具２２によって開閉可能となっている。そして、主要な面に灰３２をふるうための網目１８が設けられている。網目１８は、燃えカス３４が通過しない程度の目の大きさのものを使用する。なお、側面２０に網目を設けないのは、灰３２が過剰に飛散するのを防止するためのである。このような分割体１６Ａ及び１６Ｂには、それぞれ蝶番などの開閉具１４Ａ及び１４Ｂを介して、前記柄１２の両端が接続されている。また、前記柄１２の両端側には、衝撃を吸収するためのカバー２４Ａ，２４Ｂが設けられている。該カバー２４Ａ及び２４Ｂは、例えば、ビニールチューブにより形成されている。
【００１１】
次に、図１(B)も参照して、本実施例の作用を説明する。なお、香炉３０の灰３２には、線香の燃えカス３４が埋まっているものとする。まず、灰清掃具１０のふるい本体１６を、開いた状態（図１(A)の状態）で香炉３０の灰３２の中に入れる。そして、板バネ状の柄１２を、両端が閉じるように押えると、開閉具１４Ａ，１４Ｂ，２２により、分割体１６Ａ及び１６Ｂが閉じて、ふるい本体１６の内側に灰３２及び燃えカス３４が取り込まれる。そして、ふるい本体１６を灰３２の中から持ち上げて、図１(B)に示すように、灰清掃具１０を上下などの適宜方向に振ると、網目１８から灰３２のみが落ちて、燃えカス３４がふるい本体１６の中に残る。なお、灰３２をふるうときに、灰清掃具１０の柄１２を、香炉３０の縁部３６に当てるようにして、より早く灰３２を落とすようにしてもよい。その場合は、前記カバー２４Ａ及び２４Ｂが、縁部３６との接触による衝撃を吸収することができる。以上のようにして選別された燃えカス３４は、ふるい本体１６を開いて、新聞紙などの上に取り除かれるか、直接ゴミ箱などへ処分される。以上の動作を、灰３２の中の燃えカス３４がなくなるまで繰り返すことにより、灰３２がきれいに清掃される。
【００１２】
このように、実施例１によれば、次のような効果がある。
(1)網目１８を備えたふるい本体１６を分割可能として、板バネ状の柄１２によって開閉することとしたので、容易に効率よく灰３２から燃えカス３４を取り除くことができる。
(2)分割体１６Ａ及び１６Ｂの主要な面にのみ網目１８を設けることとしたので、周囲への灰の過剰な飛散を防止することができる。また、灰の飛散範囲が少ないので、香炉３０上で直接ふるいにかけることができる。
(3)柄１２の両端側にカバー２４Ａ及び２４Ｂを設けることとしたので、衝撃を吸収することができる。
【実施例２】
【００１３】
次に、図２を参照しながら本考案の実施例２を説明する。なお、上述した実施例１と同一ないし対応する構成要素には、同一の符号を用いることとする。上述した実施例１は、灰清掃具１０を単独で使用した例であるが、本実施例は、前記灰清掃具１０と灰清掃用蓋を併用した例である。図２(A)は、本実施例の灰清掃用蓋の外観を示す斜視図，図２(B)は、本実施例の使用状態を示す図である。
【００１４】
図２(A)に示すように、本実施例の灰清掃用蓋４０は、香炉３０の上部を所定の高さまで覆う略円筒状の蓋体４２と、前記香炉３０の縁部３６に固定される縁部４６を備えている。また、前記蓋体４２及び縁部４６の側面には、前記灰清掃具１０の柄１２を上下にスライドさせるための幅及び長さを有したスリット４４が形成されている。前記蓋体４２及び縁部４６は、樹脂や金属など、公知の各種の材質のもので形成可能であるが、透明ないし半透明の樹脂材料を利用すると、清掃中に内側の状態を確認することができるため都合がよい。本実施例の灰清掃用蓋４０を香炉３０の縁部３６に取り付け、前記スリット４４に沿って灰清掃具１０の柄１２を上下に動かすようにする。このとき、前記実施例１と同様に、柄１２を香炉３０の縁部３６に当てるようにすると、より早く灰３２を落とすことができる。このように、本実施例によっても、灰３２を香炉３０の周囲に飛散させることなく、清掃することができる。
【００１５】
なお、本考案は、上述した実施例に限定されるものではなく、本考案の要旨を逸脱しない範囲内において種々変更を加え得ることができる。例えば、以下のものも含まれる。
(1)前記実施例で示した形状，大きさ，材質は一例であり、必要に応じて適宜変更してよい。
(2)前記実施例２では、灰清掃具１０と灰清掃用蓋４０を併用することとしたが、灰清掃具１０のみを使用することを妨げるものではない。
(3)前記柄１２や開閉具１４Ａ，１４Ｂ，２２による開閉機構も一例であり、同様の効果を奏するように、公知の各種の開閉機構を適用してよい。
(4)前記実施例２に示したスリット４４も一例であり、その位置，形状，長さ，向きは、必要に応じて適宜変更してよい。
(5)前記実施例に示した清掃手順も一例であり、必要に応じて適宜変更してよい。
【産業上の利用可能性】
【００１６】
本考案によれば、燃えカスを含んだ灰をふるう網目を備えたふるい本体を分割可能かつ開閉可能とし、ふるい本体に接続された柄によって開閉する。また、必要に応じて、香炉や線香立ての上部を覆う蓋体の側面に、前記柄をスライドさせるためのスリットを形成した蓋を用意することとしたので、灰清掃具の用途に適用できる。特に、仏壇用の香炉や線香立ての清掃を行う場合に好適である。
【図面の簡単な説明】
【００１７】
【図１】本考案の実施例１を示す図であり、(A)は外観を示す斜視図，(B)は使用状態を示す図である。
【図２】本考案の実施例２を示す図であり、(A)は外観を示す斜視図，(B)は使用状態を示す図である。
【符号の説明】
【００１８】
１０：灰清掃具
１２：柄
１４Ａ，１４Ｂ，２２：開閉具
１６：ふるい本体
１６Ａ，１６Ｂ：分割体
１８：網目
２０：側面
２４Ａ，２４Ｂ：カバー
３０：香炉
３２：灰
３４：燃えカス
３６：縁部
４０：灰清掃用蓋
４２：蓋体
４４：スリット
４６：縁部
【図１】
0003120114.tif 000003
【図２】
0003120114.tif 000004